(57)【特許請求の範囲】
【請求項１】
伸縮性を有する生地からなるガードル本体の背面部分の股下から上がった部分に幅が前記ガードル本体の背面部分の幅一杯または前記ガードル本体の前面部分の両脇まで届くように設けられた開口部と、前記開口部の左側から右側上方へ、前記開口部の右側から左側上方へと交差させることによって、前記ガードル本体の前記開口部で交差し、ヒップラインに沿って形成した１対の伸縮性及び弾力性を有する生地からなる背面交差部分とを具備する骨盤矯正ガードルであって、
前記１対の背面交差部分は２枚以上の伸縮性及び弾力性を有する生地からなり、
前記１対の背面交差部分の生地のうち１枚以上が、前記ガードル本体の背面部分の股下の上部から前記ヒップラインに沿って配置され、前記１対の背面交差部分の生地のうち１枚以上の先端部分は、前記ガードル本体の両脇部分または前面左右部分または前中心に、また、前記１対の背面交差部分の後端部分は、前記ガードル本体に、その縁に沿って縫い付けられていることを特徴とする骨盤矯正ガードル。
【請求項２】
前記１対の背面交差部分が交差する前記ガードル本体の開口部は、空間になっていることを特徴とする請求項１に記載の骨盤矯正ガードル。
【請求項３】
前記１対の背面交差部分が交差する前記ガードル本体の開口部には、伸縮性を有する生地が縫付けられていることを特徴とする請求項１に記載の骨盤矯正ガードル。
【請求項４】
前記１対の背面交差部分の先端部分が縫い付けられる前記ガードル本体の前面左右部分は、左右の大転子が当接する部分またはその近傍であることを特徴とする請求項１乃至請求項３のいずれか１つに記載の骨盤矯正ガードル。
【請求項５】
前記１対の背面交差部分が交差する部分は、前記１対の背面交差部分の一方に紐部材の両端を固定して前記１対の背面交差部分の他方を前記紐部材の中を貫通させてなることを特徴とする請求項１乃至請求項４のいずれか１つに記載の骨盤矯正ガードル。
【請求項６】
前記開口部の下縁の前記ガードル本体の背面部分の股下からの長さは５ｃｍ〜１０ｃｍの範囲内であり、前記開口部の高さは５ｃｍ〜１５ｃｍの範囲内であることを特徴とする請求項１乃至請求項５のいずれか１つに記載の骨盤矯正ガードル。
【請求項７】
前記ガードル本体のウエスト上端は、腰回りより上方にまで長く伸ばしたことを特徴とする請求項１乃至請求項６のいずれか１つに記載の骨盤矯正ガードル。
【請求項８】
前記ガードル本体のウエスト上端は、腰回りより下方に短く設定したことを特徴とする請求項１乃至請求項６のいずれか１つに記載の骨盤矯正ガードル。                                                                                
【発明の詳細な説明】
【技術分野】
【０００１】
本発明は、ズボン、スカート等の衣服の下に、または単独で着用して生活するだけで骨盤の歪みを矯正して正常な骨盤形状を回復させるとともに、骨盤の歪みに起因する種々の症状を改善して健康な肉体と美しいプロポーションを得ることができる骨盤矯正ガードルに関するものであり、衣服の下に着用することにより衣服全般に適用できるものである。
【背景技術】
【０００２】
現代人は歩くときも、椅子に座るときも、また畳の上に正座するときも姿勢が悪い人が多いため、骨盤が歪んでいる人が多く、そのためプロポーションが悪くなるだけでなく、健康にも支障をきたしている場合がある。骨盤の具体的な構造について、図１を参照して説明する。図１は、骨盤とその周辺の骨を正面から見て示す概略図である。
【０００３】
図１に示されるように、骨盤１は、「仙骨」２・「寛骨」３・「尾骨」４という三つの骨によって構成されており、腰椎８から続く逆三角形の骨が「仙骨」２、その両側の蝶の羽のような形状の腸骨５とそこから続く坐骨６と恥骨７をまとめて「寛骨」３、さらに仙骨２の先端にあるのが「尾骨」４である。骨盤１は仙骨２部分で背骨９に直結し、寛骨３の下部で両足の骨１０（大転子１０ａ）へとつながっている。
【０００４】
通常、骨と骨は関節によってつながっているが、骨盤１を形成する三つの骨２，３，４は周囲の筋肉と靭帯によって支えられていて、唯一の関節は仙骨２と腸骨５とをつなぐ仙腸関節のみであり、この関節がずれたり開いたりしてそのまま固まってしまう結果、骨盤１が歪む。骨盤１が歪めば、当然それを包む筋肉にも影響が出て、お尻の中で骨盤１が横に広がったり歪んだりする結果、お尻が横に広がったり垂れてしまったりする（非特許文献１：２２頁〜２３頁）。
【０００５】
そこで、非特許文献１の４４頁〜４５頁においては、骨盤１の歪みを直す基本の体操として、ゴムのチューブを大転子１０ａの位置に当ててお尻で交差させ、骨盤１の一番出っ張った部分へ巻いて体の前で結んで、腰を大きく左右に回す体操を推奨している。また、非特許文献２の８０頁〜８３頁においては、骨盤１の歪みを直す方法として骨盤１を動かして歩く“ビーナスウォーク”という、より効果的な歩き方を提唱している。この歩き方をマスターして続けることによって、骨盤１の歪みを矯正することができ、骨盤１の歪みに起因する内臓の下垂による不調や血行不良も解消されて、種々の不快な症状も改善されるとしている。
【先行技術文献】
【非特許文献】
【０００６】
【非特許文献１】「新骨盤ダイエット」著者・芝崎義夫、出版社・高橋書店、出版年月日・平成１５年７月１０日
【非特許文献２】「骨盤スリミング」著者・立花みどり、出版社・日本文芸社、出版年月日・平成１４年１０月２５日
【発明の概要】
【発明が解決しようとする課題】
【０００７】
しかしながら、非特許文献１において推奨されている腰を回す体操等の体操だけでは、なかなか骨盤の歪みを矯正することができない。また、非特許文献２において提唱されている“ビーナスウォーク”は骨盤の歪みを矯正することはできるが、骨盤を内側にねじりながら歩かなければならず、この際に肩や首など上半身は動かさない等意識しなければならないポイントが多過ぎて、この歩き方をマスターするのは非常に困難であるという問題点があった。
【０００８】
そこで、本発明は、ズボンやスカート等の下に、または単独で着用して歩くだけで特に意識しなくても自然と“ビーナスウォーク”をすることができ、骨盤の歪みを矯正することができ、表から見たときの製品としての見栄えが向上する骨盤矯正ガードルの提供を課題とするものである。
【課題を解決するための手段】
【０００９】
請求項１の発明にかかる骨盤矯正ガードルは、伸縮性を有する生地からなるガードル本体の背面部分の股下から上がった部分に幅が前記ガードル本体の背面部分の幅または前記ガードル本体の前面部分の両脇まで届くように設けられた開口部と、前記開口部の左側から右側上方へ、前記開口部の右側から左側上方へと交差して上方に伸びてなる１対の生地からなる背面交差部分とを具備する骨盤矯正ガードルであって、前記１対の背面交差部分は２枚以上の伸縮性及び弾力性を有する生地からなり、また、前記１対の背面交差部分の生地のうち１枚以上が、前記ガードル本体の背面部分の股下の上部からヒップラインに沿って配置され、前記１対の背面交差部分の生地のうち１枚以上の先端部分は、前記ガードル本体の両脇部分または前面左右部分または前中心に、また、前記１対の背面交差部分の後端部分は、前記ガードル本体に、その縁に沿って縫い付けられているものである。
【００１０】
ここで、「伸縮性を有する生地」としては、具体的にはサテンネット生地、パワーネット生地、スパンレックス生地、等がある。また、「伸縮性及び弾力性を有する生地」としては、具体的にはサテンネット生地、パワーネット生地、等がある。さらに、本明細書及び特許請求の範囲においては、「開口部」とはガードル本体の背面部分の内部に収まる閉じた開口のみならず、ガードル本体のウエスト上端まで届く開いた開口をも含むものとする。
【００１１】
請求項２の発明にかかる骨盤矯正ガードルは、請求項１の構成において、前記１対の背面交差部分が交差する前記ガードル本体の開口部が空間になっているものである。
【００１２】
請求項３の発明にかかる骨盤矯正ガードルは、請求項１の構成において、前記１対の背面交差部分が交差する前記ガードル本体の開口部に、伸縮性を有する生地が縫付けられているものである。
【００１３】
請求項４の発明にかかる骨盤矯正ガードルは、請求項１乃至請求項３のいずれか１つの構成において、前記１対の背面交差部分の先端部分が縫い付けられる前記ガードル本体の前面左右部分は、左右の大転子が当接する部分またはその近傍であるものである。
【００１４】
請求項５の発明にかかる骨盤矯正ガードルは、請求項１乃至請求項４のいずれか１つの構成において、前記１対の背面交差部分が交差する部分は、前記１対の背面交差部分の一方に紐部材の両端を固定して前記１対の背面交差部分の他方を前記紐部材の中を貫通させてなるものである。
【００１５】
請求項６の発明にかかる骨盤矯正ガードルは、請求項１乃至請求項５のいずれか１つの構成において、前記開口部の下縁の前記ガードル本体の背面部分の股下からの長さは５ｃｍ〜１０ｃｍの範囲内であり、前記開口部の高さは５ｃｍ〜１５ｃｍの範囲内であるものである。
【００１６】
請求項７の発明にかかる骨盤矯正ガードルは、請求項１乃至請求項６のいずれか１つの構成において、前記ガードル本体のウエスト上端を腰回りより上方にまで長く伸ばしたものである。
【００１７】
請求項８の発明にかかる骨盤矯正ガードルは、請求項１乃至請求項６のいずれか１つの構成において、前記ガードル本体のウエスト上端を腰回りより下方に短く設定したものである。
【発明の効果】
【００１８】
請求項１の発明にかかる骨盤矯正ガードルは、伸縮性を有する生地からなるガードル本体の背面部分の股下から上がった部分に幅が前記ガードル本体の背面部分の幅一杯または前記ガードル本体の前面部分の両脇まで届くように設けられた開口部の左側から右側上方へ、前記開口部の右側から左側上方へと交差して上方に伸びてなる１対の生地からなる背面交差部分とを具備し、前記１対の背面交差部分は２枚以上の伸縮性及び弾力性を有する生地からなり、前記１対の背面交差部分の生地のうち１枚以上が、前記ガードル本体の背面部分の股下の上部からヒップラインに沿って配置され、前記１対の背面交差部分の生地のうち１枚以上の先端部分は、前記ガードル本体の両脇部分または前面左右部分または前中心に、また、前記１対の背面交差部分の後端部分は、前記ガードル本体に、その縁に沿って縫い付けられている。
【００１９】
これによって、背面で交差した１対の伸縮性及び弾力性を有する生地からなる背面交差部分によって骨盤が引っ張られ、ヒップが引き締められて正しい姿勢を保つことができる。したがって、本発明にかかる骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【００２０】
更に、１対の背面交差部分が２枚以上の伸縮性及び弾力性を有する生地を縫い合わせてなるものであることから、二重以上にヒップが引き締められるとともに骨盤が引っ張られることになり、より強力に骨盤が引っ張られ、ヒップが引き締められて正しい姿勢を保つことができる。また、１対の背面交差部分の先端及び／または１対の背面交差部分の後端がガードル本体に縫付けられていることによって、表から見たときの製品としての見栄えが向上し、消費者の購買意欲をそそる作用効果が得られる。
【００２１】
このようにして、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができ、表から見たときの製品としての見栄えが向上する骨盤矯正ガードルとなる。
【００２２】
請求項２の発明にかかる骨盤矯正ガードルは、１対の背面交差部分が交差するガードル本体の背面部分は空間になっている。これによって、骨盤矯正ガードルの製造が容易になり、骨盤矯正ガードルの下に下着を着用することによって、ヒップ部分の弛んだ部分が空間から飛び出ることも防止される。
【００２３】
そして、背面で交差した１対の伸縮性及び弾力性を有する生地からなる背面交差部分によって骨盤が引っ張られ、ヒップが引き締められて正しい姿勢を保つことができる。
【００２４】
したがって、本発明にかかる骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【００２５】
請求項３の発明にかかる骨盤矯正ガードルは、１対の背面交差部分が交差するガードル本体の背面部分には伸縮性を有する生地が縫付けられている。これによって、ヒップ部分の弛んだ部分が飛び出ることが確実に防止されるとともに、１対の背面交差部分が骨盤を引張りヒップ部分を持ち上げる作用を妨げることもない。
【００２６】
そして、背面で交差した１対の伸縮性及び弾力性を有する生地からなる背面交差部分によって骨盤が引っ張られ、ヒップが引き締められて正しい姿勢を保つことができる。
【００２７】
したがって、本発明にかかる骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【００２８】
請求項４の発明にかかる骨盤矯正ガードルは、１対の背面交差部分の先端が縫い付けられるガードル本体の前面左右部分は左右の大転子が当接する部分またはその近傍である。これによって、左右１対の背面交差部分による足の付け根近傍が内側へ引っ張られる効果が増大して、背面で交差した１対の伸縮性及び弾力性を有する生地からなる背面交差部分によって骨盤が引っ張られ、ヒップが引き締められて正しい姿勢を保つことができる。
【００２９】
したがって、本発明にかかる骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【００３０】
請求項５の発明にかかる骨盤矯正ガードルは、１対の背面交差部分が交差する部分において１対の背面交差部分の一方に紐部材の両端を固定して１対の背面交差部分の他方を紐部材の中を貫通させたものである。これによって、１対の背面交差部分が互いの伸縮を妨げることなく、互いに離れてしまうことを防止することができ、１対の背面交差部分によるヒップの引き締め効果を確実に得ることができる。
【００３１】
かかる構成を有する骨盤矯正ガードルを着用することによって、背面で交差した１対の二重の伸縮性及び弾力性を有する生地からなる背面交差部分によって骨盤が引っ張られ、ヒップが引き締められて正しい姿勢を保つことができる。
【００３２】
したがって、骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【００３３】
請求項６の発明にかかる骨盤矯正ガードルは、開口部の下縁のガードル本体の背面部分の股下からの長さは５ｃｍ〜１０ｃｍの範囲内であり、開口部の高さは５ｃｍ〜１５ｃｍの範囲内である。
【００３４】
本発明者が開口部の位置及び高さについて、最も効果的にヒップを引き締める効果が得られる範囲について鋭意実験研究を重ねた結果、股下からの長さが５ｃｍ〜１０ｃｍの範囲内で開口部の高さが５ｃｍ〜１５ｃｍの範囲内である場合に最も効果的にヒップを引き締める効果が得られることを見出し、この知見に基づいて本発明を完成させたものである。
【００３５】
開口部の位置及び高さをこのような範囲内とすることによって、製造が容易であり、製品としての見栄えもよく、ヒップの締め付け効果が確実に得られる。
【００３６】
請求項７の発明にかかる骨盤矯正ガードルは、ガードルのウエスト上端を腰回りより上方にまで長く伸ばしたものである。このようなハイウエストタイプの骨盤矯正ガードルは、着用して真っ直ぐに歩くだけで自然に“ビーナスウォーク”をすることができ、骨盤の歪みを矯正できるだけでなく、腰回りが締め付けられてウエストラインが美しく見えるとともに、寒い時期でも暖かいという効果が得られる。
【００３７】
請求項８の発明にかかる骨盤矯正ガードルは、前記ガードル本体のウエスト上端を腰回りより下方に短く設定したものである。このようなローウエストタイプの骨盤矯正ガードルは、着用して真っ直ぐに歩くだけで自然に“ビーナスウォーク”をすることができ、骨盤の歪みを矯正できるだけでなく、若い人を中心に流行しているローライズジーンズ等の腰回りが低いボトムスの下にも着用することができるとともに、交差部分によって足の付け根近傍を内側へ引っ張る効果が最も大きいという特長がある。
【図面の簡単な説明】
【００３８】
【図１】図１は、骨盤とその周辺の骨を正面から見て示す概略図である。
【図２】図２（ａ）は本発明の実施の形態１にかかる骨盤矯正ガードルの全体構成を示す正面図、（ｂ）は背面斜視図、（ｃ）は背面図である。
【図３】図３（ａ）は本発明の実施の形態１の変形例にかかる骨盤矯正ガードルの全体構成を示す正面図、（ｂ）は背面斜視図、（ｃ）は背面図である。
【図４】図４（ａ）は本発明の実施の形態２にかかる骨盤矯正ガードルの全体構成を示す正面図、（ｂ）は背面斜視図、（ｃ）は背面図である。
【図５】図５（ａ）は本発明の実施の形態２の変形例にかかる骨盤矯正ガードルの全体構成を示す正面図、（ｂ）は背面斜視図、（ｃ）は背面図である。
【図６】図６（ａ）は本発明の実施の形態３にかかる骨盤矯正ガードルの全体構成を示す正面図、（ｂ）は背面斜視図、（ｃ）は背面図である。
【図７】図７（ａ）は本発明の実施の形態３の変形例にかかる骨盤矯正ガードルの全体構成を示す正面図、（ｂ）は背面斜視図、（ｃ）は背面図である。
【図８】図８は本発明の実施の形態４にかかる骨盤矯正ガードルの全体構成を示す正面図である。
【図９】図９は本発明の参考例１にかかる骨盤矯正ガードルの全体構成を示す正面図である。
【図１０】図１０は本発明の実施の形態５にかかる骨盤矯正ガードルの全体構成を示す正面図である。
【図１１】図１１は本発明の実施の形態５の第１の変形例にかかる骨盤矯正ガードルの全体構成を示す正面図である。
【図１２】図１２は本発明の実施の形態５の第２の変形例にかかる骨盤矯正ガードルの全体構成を示す正面図である。
【図１３】図１３は本発明の実施の形態５の第３の変形例にかかる骨盤矯正ガードルの全体構成を示す正面図である。
【図１４】図１４は本発明の実施の形態６にかかる骨盤矯正ガードルの全体構成を示す背面図である。
【図１５】図１５は本発明の実施の形態６の第１の変形例にかかる骨盤矯正ガードルの全体構成を示す背面図である。
【図１６】図１６は本発明の実施の形態６の第２の変形例にかかる骨盤矯正ガードルの全体構成を示す背面図である。
【図１７】図１７（ａ）は本発明の実施の形態７にかかる骨盤矯正ガードルの全体構成を示す正面図、（ｂ）は背面斜視図、（ｃ）は背面図である。
【図１８】図１８（ａ）は本発明の実施の形態７の変形例にかかる骨盤矯正ガードルの全体構成を示す正面図、（ｂ）は背面斜視図、（ｃ）は背面図である。
【図１９】図１９は本発明の実施の形態８にかかる骨盤矯正ガードルの全体構成を示す正面図である。
【図２０】図２０は本発明の参考例２にかかる骨盤矯正ガードルの全体構成を示す正面図である。
【図２１】図２１は本発明の実施の形態９にかかる骨盤矯正ガードルの全体構成を示す正面図である。
【図２２】図２２は本発明の骨盤矯正ガードルの製造方法の実施の形態１０にかかる骨盤矯正ガードルの主な構成部品を示す図である。
【図２３】図２３（ａ）は本発明の実施の形態１０にかかる骨盤矯正ガードルの製造方法の第１段階を示す図、（ｂ）は第２段階を示す図、（ｃ）は骨盤矯正ガードルの完成状態を示す正面図である。
【図２４】図２４（ａ）は本発明の実施の形態１１にかかる骨盤矯正ガードルの全体構成を示す正面図、（ｂ）は背面斜視図、（ｃ）は背面図である。
【図２５】図２５（ａ）は本発明の実施の形態１１の変形例にかかる骨盤矯正ガードルの全体構成を示す正面図、（ｂ）は背面斜視図、（ｃ）は背面図である。
【発明を実施するための形態】
【００３９】
以下、本発明の実施の形態及び参考例について、図面を参照しつつ説明する。
【００４０】
実施の形態１
次に、本発明の実施の形態１について、図２及び図３を参照して説明する。図２（ａ）は本発明の実施の形態１にかかる骨盤矯正ガードルの全体構成を示す正面図、（ｂ）は背面斜視図、（ｃ）は背面図である。図３（ａ）は本発明の実施の形態１の変形例にかかる骨盤矯正ガードルの全体構成を示す正面図、（ｂ）は背面斜視図、（ｃ）は背面図である。
【００４１】
本実施の形態及び参考例にかかる骨盤矯正ガードルは、ガードル本体１６２，２５４，２６４の背面部分の股下１６１ｃ等から上がった部分に幅がガードル本体１６２，２５４，２６４の背面部分の幅一杯またはガードル本体１６２，２５４，２６４の前面部分の両脇まで届く開口部１６４を設けて、ガードル本体１６２，２５４，２６４の背面部分の股下の上部の左側から右側へ及び右側から左側へ交差して上方へ伸びてガードル本体１６２，２５４，２６４の前面左右部分にその先端部分が縫付けられた１対の伸縮性及び弾力性を有する生地からなる背面交差部分１６３Ａ，１６３Ｂ等を設けた骨盤矯正ガードルである。
【００４２】
したがって、背面で交差した１対の伸縮性及び弾力性を有する生地からなる背面交差部分１６３Ａ，１６３Ｂによって骨盤が引っ張られ、ヒップが引き締められて正しい姿勢を保つことができ、骨盤矯正ガードルを着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分１６３Ａ，１６３Ｂによってヒップ部分が引き上げられるため、ヒップアップの効果も得ることができるものである。
【００４３】
図２（ａ），（ｂ），（ｃ）に示されるように、本実施の形態１にかかる骨盤矯正ガードル１６１は、ガードル本体１６２の後中心１６１ｂを中心にして、ガードル本体１６２の股下１６１ｃから約８ｃｍ上がった位置に下縁を有する略長円形（本明細書においては、「長円形」とは、本来の意味の楕円形と同じ形状とは異なり、１対の半円を２本の直線でつないだ陸上競技場のトラックの如き形状を意味するものとする。）状の高さ約８ｃｍの開口部１６４が設けられており、図２（ａ）に示されるように、開口部１６４の両端はガードル本体１６２の前面部分の両脇まで達している。
【００４４】
図２（ｃ）に示されるように、この開口部１６４の下縁の左側から右側上方へ１対の背面交差部分の一方１６３Ａが伸びており、開口部１６４の下縁の右側から左側上方へ１対の背面交差部分の他方１６３Ｂが伸びていて、それぞれの先端は開口部１６４の下へ潜り込んで、図２（ａ）に示されるように、ガードル本体１６２の前面部分にロック縫い１６３ｃ，１６３ｄで留められている。
【００４５】
そして、開口部１６４は裏側から伸縮性及び弾力性を有する生地であるパワーネット１６５が縫い付けられることによって塞がれている。
【００４６】
これによって、骨盤矯正ガードル１６１の着用時に１対の背面交差部分１６３Ａ，１６３Ｂの開口部１６４の下へ潜り込んだ部分が直接当たることが防止され、穿き心地が向上するとともに、ヒップの弛んだ部分が開口部１６４から突出することが防止され、また骨盤矯正ガードル１６１が型崩れし難くなるという作用効果が得られる。
【００４７】
ここで、１対の背面交差部分１６３Ａ，１６３Ｂは、表側がサテンネット生地で裏側がパワーネット生地という二重構造になっており、表側のサテンネット生地の部分はガードル本体１６２と一体となっている。即ち、本実施の形態１にかかる骨盤矯正ガードル１６１のガードル本体１６２は、単に伸縮性を有する生地ではなく、伸縮性及び弾力性を有する生地であるサテンネットからなるものである。したがって、骨盤矯正ガードル１６１によるヒップの締め付け効果及び骨盤の矯正効果がより向上するという作用効果が得られる。
【００４８】
一方、裏側のパワーネット生地の部分は、表側のサテンネット生地の部分に中縫いで縁だけが縫付けられて一体となっており、さらに一体となった１対の背面交差部分１６３Ａ，１６３Ｂの縁にはコバステッチ１６３ａ，１６３ｂが施されているが、これは装飾効果を高めるため及びより１対の背面交差部分１６３Ａ，１６３Ｂを強化するためのものであって、コバステッチ１６３ａ，１６３ｂによってのみ表側のサテンネット生地の部分と裏側のパワーネット生地の部分が縫付けられている訳ではない。
【００４９】
また、図２（ｃ）に示されるように、１対の背面交差部分１６３Ａ，１６３Ｂの交差位置において、１対の背面交差部分の一方１６３Ａの裏側に紐部材２５０の両端が縫付けられており、１対の背面交差部分の他方１６３Ｂが紐部材２５０の中を潜る構造となっている。これによって、１対の背面交差部分１６３Ａ，１６３Ｂが互いの伸縮を妨げることなく、互いに離れてしまうことを防止することができ、１対の背面交差部分１６３Ａ，１６３Ｂによるヒップの引き締め効果を確実に得ることができる。
【００５０】
そして、ガードル本体１６２は、前中心１６１ａ及び後中心１６１ｂの二箇所で縫い付けられることによって構成されている。これによって、本実施の形態１にかかる骨盤矯正ガードル１６１の部品となる生地のカット及び縫製が容易になり、大量生産に向いた製品となるという作用効果が得られる。
【００５１】
かかる構成を有する本実施の形態１の骨盤矯正ガードル１６１を着用することによって、背面で交差した１対の二重の伸縮性及び弾力性を有する生地からなる背面交差部分１６３Ａ，１６３Ｂによって骨盤が引っ張られ、ヒップが引き締められて正しい姿勢を保つことができる。したがって、骨盤矯正ガードル１６１を着用して立ったり座ったりするだけでも骨盤を矯正する効果が得られ、さらに着用して歩くだけで自然に良い姿勢で真っ直ぐに歩くことができ、自然に骨盤が内側へ回転して“ビーナスウォーク”をすることができ、これを何日も続けることによって骨盤の歪みが矯正されるとともに、背面交差部分によってヒップ部分が引き上げられるため、ヒップアップの効果も得ることができる。
【００５２】
このようにして、本実施の形態１にかかる骨盤矯正ガードル１６１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【００５３】
次に、本実施の形態１の変形例にかかる骨盤矯正ガードル１６６について、図３を参照して説明する。この骨盤矯正ガードル１６６は、全体的な構成については上記骨盤矯正ガードル１６１と同様であり、ガードル本体１６２の後中心１６６ｂを中心にして、ガードル本体１６２の股下１６６ｃから約８ｃｍ上がった位置に下縁を有する略長円形状の高さ約８ｃｍの開口部１６４が設けられており、図３（ａ）に示されるように、開口部１６４の両端はガードル本体１６２の前面部分の両脇まで達している。
【００５４】
図３（ｃ）に示されるように、この開口部１６４の下縁の左側から右側上方へ１対の背面交差部分の一方１６８Ａが伸びており、開口部１６４の下縁の右側から左側上方へ１対の背面交差部分の他方１６８Ｂが伸びていて、それぞれの先端は開口部１６４の下へ潜り込んで、図３（ａ）に示されるように、ガードル本体１６２の前面部分にロック縫い１６８ｃ，１６８ｄで留められている。そして、開口部１６４は裏側から伸縮性及び弾力性を有する生地であるパワーネット１７０が縫い付けられることによって塞がれている。
【００５５】
ここで、１対の背面交差部分１６８Ａ，１６８Ｂは、表側がサテンネット生地で裏側がパワーネット生地という二重構造になっており、表側のサテンネット生地の部分はガードル本体１６２と一体となっている。即ち、本実施の形態１の変形例にかかる骨盤矯正ガードル１６６のガードル本体１６２は、単に伸縮性を有する生地ではなく、伸縮性及び弾力性を有する生地であるサテンネットからなるものである。したがって、骨盤矯正ガードル１６２によるヒップの締め付け効果及び骨盤の矯正効果がより向上するという作用効果が得られる。
【００５６】
一方、裏側のパワーネット生地の部分は、表側のサテンネット生地の部分に中縫いで縁だけが縫付けられて一体となっており、さらに一体となった１対の背面交差部分１６８Ａ，１６８Ｂの縁にはコバステッチ１６８ａ，１６８ｂが施されているが、これは装飾効果を高めるため及びより１対の背面交差部分１６８Ａ，１６８Ｂを強化するためのものであって、コバステッチ１６８ａ，１６８ｂによってのみ表側のサテンネット生地の部分と裏側のパワーネット生地の部分が縫付けられている訳ではない。
【００５７】
また、図３（ｃ）に示されるように、１対の背面交差部分１６８Ａ，１６８Ｂの交差位置において、１対の背面交差部分の一方１６８Ａの裏側に紐部材２５０の両端が縫付けられており、１対の背面交差部分の他方１６８Ｂが紐部材２５０の中を潜る構造となっている。これによって、１対の背面交差部分１６８Ａ，１６８Ｂが互いの伸縮を妨げることなく、互いに離れてしまうことを防止することができ、１対の背面交差部分１６８Ａ，１６８Ｂによるヒップの引き締め効果を確実に得ることができる。
【００５８】
このように、本実施の形態１の変形例にかかる骨盤矯正ガードル１６６の全体構成は、上記骨盤矯正ガードル１６１と同様であり、したがって骨盤矯正ガードル１６６を着用することによって、上記骨盤矯正ガードル１６１と同様の骨盤矯正効果を始めとする作用効果が得られる。異なる点は、図３（ａ），（ｂ），（ｃ）に示されるように、開口部１６４の縁に沿ってパイピング１６７が取付けられてパイピング処理が施されている点のみであり、これによって装飾的効果が増し、製品としての見栄えが向上して消費者の購買意欲を増大させるという作用効果が得られる。
【００５９】
実施の形態２
次に、本発明の実施の形態２について、図４及び図５を参照して説明する。図４（ａ）は本発明の実施の形態２にかかる骨盤矯正ガードルの全体構成を示す正面図、（ｂ）は背面斜視図、（ｃ）は背面図である。図５（ａ）は本発明の実施の形態２の変形例にかかる骨盤矯正ガードルの全体構成を示す正面図、（ｂ）は背面斜視図、（ｃ）は背面図である。
【００６０】
図４（ａ），（ｂ），（ｃ）に示されるように、本実施の形態２にかかる骨盤矯正ガードル１７１は、ガードル本体１６２の後中心１７１ｂを中心にして、ガードル本体１６２の股下１７１ｃから約８ｃｍ上がった位置に下縁を有する略長円形状の高さ約８ｃｍの開口部１６４が設けられており、図４（ａ）に示されるように、開口部１６４の両端はガードル本体１６２の前面部分の両脇まで達している。
【００６１】
図４（ｃ）に示されるように、この開口部１６４の下縁の左側から右側上方へ１対の背面交差部分の一方１７３Ａが伸びており、開口部１６４の下縁の右側から左側上方へ１対の背面交差部分の他方１７３Ｂが伸びていて、それぞれの先端は開口部１６４の下へ潜り込んで、図４（ａ）に示されるように、ガードル本体１６２の前面部分にロック縫い１７３ｃ，１７３ｄで留められている。そして、開口部１６４は裏側から伸縮性及び弾力性を有する生地であるパワーネット１６５が縫い付けられることによって塞がれている。
【００６２】
これによって、骨盤矯正ガードル１７１の着用時に１対の背面交差部分１７３Ａ，１７３Ｂの開口部１６４の下へ潜り込んだ部分が直接当たることが防止され、穿き心地が向上するとともに、ヒップの弛んだ部分が開口部１６４から突出することが防止され、また骨盤矯正ガードル１７１が型崩れし難くなるという作用効果が得られる。
【００６３】
ここで、１対の背面交差部分１７３Ａ，１７３Ｂは、表側がサテンネット生地で裏側がパワーネット生地という二重構造になっており、表側のサテンネット生地の部分はガードル本体１６２と一体となっている。即ち、本実施の形態２にかかる骨盤矯正ガードル１７１のガードル本体１６２は、単に伸縮性を有する生地ではなく、伸縮性及び弾力性を有する生地であるサテンネットからなるものである。したがって、骨盤矯正ガードル１６２によるヒップの締め付け効果及び骨盤の矯正効果がより向上するという作用効果が得られる。
【００６４】
一方、裏側のパワーネット生地の部分は、表側のサテンネット生地の部分に中縫いで縁だけが縫付けられて一体となっており、さらに一体となった１対の背面交差部分１７３Ａ，１７３Ｂの縁にはコバステッチ１７３ａ，１７３ｂが施されているが、これは装飾効果を高めるため及びより１対の背面交差部分１７３Ａ，１７３Ｂを強化するためのものであって、コバステッチ１７３ａ，１７３ｂによってのみ表側のサテンネット生地の部分と裏側のパワーネット生地の部分が縫付けられている訳ではない。
【００６５】
また、図４（ｃ）に示されるように、１対の背面交差部分１７３Ａ，１７３Ｂの交差位置において、１対の背面交差部分の一方１７３Ａの裏側に紐部材２５０の両端が縫付けられており、１対の背面交差部分の他方１７３Ｂが紐部材２５０の中を潜る構造となっている。これによって、１対の背面交差部分１７３Ａ，１７３Ｂが互いの伸縮を妨げることなく、互いに離れてしまうことを防止することができ、１対の背面交差部分１７３Ａ，１７３Ｂによるヒップの引き締め効果を確実に得ることができる。
【００６６】
ここまでの構造は、上記実施の形態１の骨盤矯正ガードル１６１と同様である。本実施の形態２にかかる骨盤矯正ガードル１７１が上記実施の形態１の骨盤矯正ガードル１６１と異なるのは、図４（ｂ），（ｃ）に示されるように、１対の背面交差部分１７３Ａ，１７３Ｂの裏側のパワーネット生地の部分（１対の背面交差部分の後端）１７２Ａ，１７２Ｂが、ガードル本体１６２の両脇部分まで伸びて縫付けられている点である。
【００６７】
これによって、骨盤矯正ガードル１７１を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１７１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【００６８】
このようにして、本実施の形態２の骨盤矯正ガードル１７１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【００６９】
そして、ガードル本体１６２は、前中心１７１ａ及び後中心１７１ｂの二箇所で縫い付けられることによって構成されている。これによって、本実施の形態２にかかる骨盤矯正ガードル１７１の部品となる生地のカット及び縫製が容易になり、大量生産に向いた製品となるという作用効果が得られる。
【００７０】
次に、実施の形態２の変形例にかかる骨盤矯正ガードル１７６について、図５を参照して説明する。この骨盤矯正ガードル１７６は、全体的な構成については上記骨盤矯正ガードル１７１と同様であり、ガードル本体１６２の後中心１７６ｂを中心にして、ガードル本体１６２の股下１７６ｃから約８ｃｍ上がった位置に下縁を有する略長円形状の高さ約８ｃｍの開口部１６４が設けられており、図５（ａ）に示されるように、開口部１６４の両端はガードル本体１６２の前面部分の両脇まで達している。
【００７１】
図５（ｃ）に示されるように、この開口部１６４の下縁の左側から右側上方へ１対の背面交差部分の一方１７８Ａが伸びており、開口部１６４の下縁の右側から左側上方へ１対の背面交差部分の他方１７８Ｂが伸びていて、それぞれの先端は開口部１６４の下へ潜り込んで、図５（ａ）に示されるように、ガードル本体１６２の前面部分にロック縫い１７８ｃ，１７８ｄで留められている。そして、開口部１６４は裏側から伸縮性及び弾力性を有する生地であるパワーネット１７０が縫い付けられることによって塞がれている。
【００７２】
ここで、１対の背面交差部分１７８Ａ，１７８Ｂは、表側がサテンネット生地で裏側がパワーネット生地という二重構造になっており、表側のサテンネット生地の部分はガードル本体１６２と一体となっている。即ち、本実施の形態２の変形例にかかる骨盤矯正ガードル１７６のガードル本体１６２は、単に伸縮性を有する生地ではなく、伸縮性及び弾力性を有する生地であるサテンネットからなるものである。したがって、骨盤矯正ガードル１７６によるヒップの締め付け効果及び骨盤の矯正効果がより向上するという作用効果が得られる。
【００７３】
一方、裏側のパワーネット生地の部分は、表側のサテンネット生地の部分に中縫いで縁だけが縫付けられて一体となっており、さらに一体となった１対の背面交差部分１７８Ａ，１７８Ｂの縁にはコバステッチ１７８ａ，１７８ｂが施されているが、これは装飾効果を高めるため及びより１対の背面交差部分１７８Ａ，１７８Ｂを強化するためのものであって、コバステッチ１７８ａ，１７８ｂによってのみ表側のサテンネット生地の部分と裏側のパワーネット生地の部分が縫付けられている訳ではない。
【００７４】
また、図５（ｃ）に示されるように、１対の背面交差部分１７８Ａ，１７８Ｂの交差位置において、１対の背面交差部分の一方１７８Ａの裏側に紐部材２５０の両端が縫付けられており、１対の背面交差部分の他方１７８Ｂが紐部材２５０の中を潜る構造となっている。これによって、１対の背面交差部分１７８Ａ，１７８Ｂが互いの伸縮を妨げることなく、互いに離れてしまうことを防止することができ、１対の背面交差部分１７８Ａ，１７８Ｂによるヒップの引き締め効果を確実に得ることができる。
【００７５】
ここまでの構造は、上記実施の形態１の骨盤矯正ガードル１６１と同様である。本実施の形態２の変形例にかかる骨盤矯正ガードル１７６が上記実施の形態１の骨盤矯正ガードル１６１と異なるのは、図５（ｂ），（ｃ）に示されるように、１対の背面交差部分１７８Ａ，１７８Ｂの裏側のパワーネット生地の部分（１対の背面交差部分の後端）１７７Ａ，１７７Ｂが、ガードル本体１６２の両脇部分まで伸びて縫付けられている点である。
【００７６】
これによって、骨盤矯正ガードル１７６を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１７６を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【００７７】
このように、本実施の形態２の変形例にかかる骨盤矯正ガードル１７６の全体構成は、上記骨盤矯正ガードル１７１と同様であり、したがって骨盤矯正ガードル１７６を着用することによって、上記骨盤矯正ガードル１７１と同様の骨盤矯正効果を始めとする作用効果が得られる。異なる点は、図５（ａ），（ｂ），（ｃ）に示されるように、開口部１６４の縁に沿ってパイピング１６７が取付けられてパイピング処理が施されている点のみであり、これによって装飾的効果が増し、製品としての見栄えが向上して消費者の購買意欲を増大させるという作用効果が得られる。
【００７８】
実施の形態３
次に、本発明の実施の形態３について、図６及び図７を参照して説明する。図６（ａ）は本発明の実施の形態３にかかる骨盤矯正ガードルの全体構成を示す正面図、（ｂ）は背面斜視図、（ｃ）は背面図である。図７（ａ）は本発明の実施の形態３の変形例にかかる骨盤矯正ガードルの全体構成を示す正面図、（ｂ）は背面斜視図、（ｃ）は背面図である。
【００７９】
図６（ａ），（ｂ），（ｃ）に示されるように、本実施の形態３にかかる骨盤矯正ガードル１８１は、ガードル本体１６２の後中心１８１ｂを中心にして、ガードル本体１６２の股下１８１ｃから約８ｃｍ上がった位置に下縁を有する略長円形状の高さ約８ｃｍの開口部１６４が設けられており、図６（ａ）に示されるように、開口部１６４の両端はガードル本体１６２の前面部分の両脇まで達している。
【００８０】
図６（ｃ）に示されるように、この開口部１６４の下縁の左側から右側上方へ１対の背面交差部分の一方１８３Ａが伸びており、開口部１６４の下縁の右側から左側上方へ１対の背面交差部分の他方１８３Ｂが伸びていて、それぞれの先端は開口部１６４の下へ潜り込んで、図６（ａ）に示されるように、ガードル本体１６２の前面部分にロック縫い１８３ｃ，１８３ｄで留められている。そして、開口部１６４は裏側から伸縮性及び弾力性を有する生地であるパワーネット１６５が縫い付けられることによって塞がれている。
【００８１】
これによって、骨盤矯正ガードル１８１の着用時に１対の背面交差部分１８３Ａ，１８３Ｂの開口部１６４の下へ潜り込んだ部分が直接当たることが防止され、穿き心地が向上するとともに、ヒップの弛んだ部分が開口部１６４から突出することが防止され、また骨盤矯正ガードル１８１が型崩れし難くなるという作用効果が得られる。
【００８２】
ここで、１対の背面交差部分１８３Ａ，１８３Ｂは、表側がサテンネット生地で裏側がパワーネット生地という二重構造になっており、表側のサテンネット生地の部分はガードル本体１６２と一体となっている。即ち、本実施の形態３にかかる骨盤矯正ガードル１８１のガードル本体１６２は、単に伸縮性を有する生地ではなく、伸縮性及び弾力性を有する生地であるサテンネットからなるものである。したがって、骨盤矯正ガードル１８１によるヒップの締め付け効果及び骨盤の矯正効果がより向上するという作用効果が得られる。
【００８３】
一方、裏側のパワーネット生地の部分は、表側のサテンネット生地の部分に中縫いで縁だけが縫付けられて一体となっており、さらに一体となった１対の背面交差部分１８３Ａ，１８３Ｂの縁にはコバステッチ１８３ａ，１８３ｂが施されているが、これは装飾効果を高めるため及びより１対の背面交差部分１８３Ａ，１８３Ｂを強化するためのものであって、コバステッチ１８３ａ，１８３ｂによってのみ表側のサテンネット生地の部分と裏側のパワーネット生地の部分が縫付けられている訳ではない。
【００８４】
また、図６（ｃ）に示されるように、１対の背面交差部分１８３Ａ，１８３Ｂの交差位置において、１対の背面交差部分の一方１８３Ａの裏側に紐部材２５０の両端が縫付けられており、１対の背面交差部分の他方１８３Ｂが紐部材２５０の中を潜る構造となっている。これによって、１対の背面交差部分１８３Ａ，１８３Ｂが互いの伸縮を妨げることなく、互いに離れてしまうことを防止することができ、１対の背面交差部分１８３Ａ，１８３Ｂによるヒップの引き締め効果を確実に得ることができる。
【００８５】
ここまでの構造は、上記実施の形態２の骨盤矯正ガードル１７１と同様である。本実施の形態３にかかる骨盤矯正ガードル１８１が上記実施の形態２の骨盤矯正ガードル１７１と異なるのは、図６（ｂ），（ｃ）に示されるように、１対の背面交差部分１８３Ａ，１８３Ｂの裏側のパワーネット生地の部分（１対の背面交差部分の後端）１８２Ａ，１８２Ｂが、ガードル本体１６２の両脇部分をさらに越えて前面左右部分まで伸びて縫付けられている点である。
【００８６】
これによって、骨盤矯正ガードル１８１を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１８１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【００８７】
このようにして、本実施の形態３の骨盤矯正ガードル１８１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【００８８】
そして、ガードル本体１６２は、前中心１８１ａ及び後中心１８１ｂの二箇所で縫い付けられることによって構成されている。これによって、本実施の形態３にかかる骨盤矯正ガードル１８１の部品となる生地のカット及び縫製が容易になり、大量生産に向いた製品となるという作用効果が得られる。
【００８９】
次に、本実施の形態３の変形例にかかる骨盤矯正ガードル１８６について、図７を参照して説明する。この骨盤矯正ガードル１８６は、全体的な構成については上記骨盤矯正ガードル１８１と同様であり、ガードル本体１６２の後中心１８６ｂを中心にして、ガードル本体１６２の股下１８６ｃから約８ｃｍ上がった位置に下縁を有する略長円形状の高さ約８ｃｍの開口部１６４が設けられており、図７（ａ）に示されるように、開口部１６４の両端はガードル本体１６２の前面部分の両脇まで達している。
【００９０】
図７（ｃ）に示されるように、この開口部１６４の下縁の左側から右側上方へ１対の背面交差部分の一方１８８Ａが伸びており、開口部１６４の下縁の右側から左側上方へ１対の背面交差部分の他方１８８Ｂが伸びていて、それぞれの先端は開口部１６４の下へ潜り込んで、図７（ａ）に示されるように、ガードル本体１６２の前面部分にロック縫い１８８ｃ，１８８ｄで留められている。そして、開口部１６４は裏側から伸縮性及び弾力性を有する生地であるパワーネット１７０が縫い付けられることによって塞がれている。
【００９１】
ここで、１対の背面交差部分１８８Ａ，１８８Ｂは、表側がサテンネット生地で裏側がパワーネット生地という二重構造になっており、表側のサテンネット生地の部分はガードル本体１６２と一体となっている。即ち、本実施の形態３の変形例にかかる骨盤矯正ガードル１８６のガードル本体１６２は、単に伸縮性を有する生地ではなく、伸縮性及び弾力性を有する生地であるサテンネットからなるものである。したがって、骨盤矯正ガードル１８６によるヒップの締め付け効果及び骨盤の矯正効果がより向上するという作用効果が得られる。
【００９２】
一方、裏側のパワーネット生地の部分は、表側のサテンネット生地の部分に中縫いで縁だけが縫付けられて一体となっており、さらに一体となった１対の背面交差部分１８８Ａ，１８８Ｂの縁にはコバステッチ１８８ａ，１８８ｂが施されているが、これは装飾効果を高めるため及びより１対の背面交差部分１８８Ａ，１８８Ｂを強化するためのものであって、コバステッチ１８８ａ，１８８ｂによってのみ表側のサテンネット生地の部分と裏側のパワーネット生地の部分が縫付けられている訳ではない。
【００９３】
また、図７（ｃ）に示されるように、１対の背面交差部分１８８Ａ，１８８Ｂの交差位置において、１対の背面交差部分の一方１８８Ａの裏側に紐部材２５０の両端が縫付けられており、１対の背面交差部分の他方１８８Ｂが紐部材２５０の中を潜る構造となっている。これによって、１対の背面交差部分１８８Ａ，１８８Ｂが互いの伸縮を妨げることなく、互いに離れてしまうことを防止することができ、１対の背面交差部分１８８Ａ，１８８Ｂによるヒップの引き締め効果を確実に得ることができる。
【００９４】
ここまでの構造は、上記実施の形態１の骨盤矯正ガードル１６１と同様である。本実施の形態３の変形例にかかる骨盤矯正ガードル１８６が上記実施の形態１の骨盤矯正ガードル１６１と異なるのは、図７（ｂ），（ｃ）に示されるように、１対の背面交差部分１８８Ａ，１８８Ｂの裏側のパワーネット生地の部分（１対の背面交差部分の後端）１８７Ａ，１８７Ｂが、ガードル本体１６２の両脇部分をさらに越えて前面左右部分まで伸びて縫付けられている点である。
【００９５】
これによって、骨盤矯正ガードル１８６を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１８６を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【００９６】
このように、本実施の形態３の変形例にかかる骨盤矯正ガードル１８６の全体構成は、上記骨盤矯正ガードル１８１と同様であり、したがって骨盤矯正ガードル１８６を着用することによって、上記骨盤矯正ガードル１８１と同様の骨盤矯正効果を始めとする作用効果が得られる。異なる点は、図７（ａ），（ｂ），（ｃ）に示されるように、開口部１６４の縁に沿ってパイピング１６７が取付けられてパイピング処理が施されている点のみであり、これによって装飾的効果が増し、製品としての見栄えが向上して消費者の購買意欲を増大させるという作用効果が得られる。
【００９７】
実施の形態４
次に、本発明の実施の形態４について、図８を参照して説明する。図８は本発明の実施の形態４にかかる骨盤矯正ガードルの全体構成を示す正面図である。
【００９８】
本実施の形態４にかかる骨盤矯正ガードル１９０の全体構成は、上記実施の形態３の変形例にかかる骨盤矯正ガードル１８６と同様である。したがって、骨盤矯正ガードル１９０の背面の構成については、図７（ｃ）を参照されたい。本実施の形態４にかかる骨盤矯正ガードル１９０が上記実施の形態３の変形例にかかる骨盤矯正ガードル１８６と異なるのは、図８に示されるように、１対の背面交差部分１８８Ａ，１８８Ｂの先端が開口部１６４の縁を飾るパイピング１６７の下へ潜り込まずに、ガードル本体１６２の左右脇部分の表面にロック縫い１８８ｃ，１８８ｄで縫付けられている点である。
【００９９】
これによって、骨盤矯正ガードル１９０の表面の見栄えはやや損なわれるが、その代わり縫製がより容易になり、短時間で製造できるという作用効果が生まれる。その他の部分は、上記実施の形態３の変形例にかかる骨盤矯正ガードル１８６と同様であるため、同様の作用効果が得られる。
【０１００】
即ち、骨盤矯正ガードル１９０を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１９０を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０１０１】
このようにして、本実施の形態４の骨盤矯正ガードル１９０においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０１０２】
そして、ガードル本体１６２は、前中心１９０ａ及び後中心１９０ｂの二箇所で縫い付けられることによって構成されている。これによって、本実施の形態４にかかる骨盤矯正ガードル１９０の部品となる生地のカット及び縫製が容易になり、大量生産に向いた製品となるという作用効果が得られる。
【０１０３】
参考例１
次に、参考例１にかかる骨盤矯正ガードル１９１について、図９を参照して説明する。図９は本発明の参考例１にかかる骨盤矯正ガードルの全体構成を示す正面図である。この骨盤矯正ガードル１９１は、全体的な構成については上記骨盤矯正ガードル１９０と同様であり、図９に示されるように、１対の背面交差部分１９２Ａ，１９２Ｂの先端の留め方が異なる。
【０１０４】
即ち、ガードル本体１６２の前面の前中心１９１ａの左右部分に、調節機能付き接続具の一方としての複数の接続位置に取付けられたメンカンを有するカギホック１９３Ａが縫付けられており、一方１対の背面交差部分１９２Ａ，１９２Ｂの先端にはカギホック１９３Ａの複数の接続位置のメンカンのいずれにも取付けられる調節機能付き接続具の他方としてのカギホック１９３Ｂが縫付けられている。これらのカギホック１９３Ａ，１９３Ｂによって、調節機能付き接続具１９３が構成されている。
【０１０５】
したがって、１対の背面交差部分１９２Ａ，１９２Ｂの先端のカギホック１９３Ｂをカギホック１９３Ａの複数の接続位置のメンカンの何処に取付けるかによって１対の背面交差部分１９２Ａ，１９２Ｂによる引っ張り力を調節することができ、１対の背面交差部分１９２Ａ，１９２Ｂによるヒップアップの効果も自由に調節することができる。なお、図９においては、カギホック１９３Ａの複数の接続位置が３ヵ所の場合を示しているが、２ヶ所でも良いし４ヵ所以上でも構わない。
【０１０６】
その他の部分は、上記実施の形態３の変形例にかかる骨盤矯正ガードル１８６と同様であるため、同様の作用効果が得られる。
【０１０７】
即ち、骨盤矯正ガードル１９１を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル１９１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。
【０１０８】
これを何日も続けることによって骨盤の歪みが矯正されるとともに、背面交差部分によってヒップ部分が引き上げられるため、ヒップアップの効果も得ることができる。さらに調節機能付き接続具１９３を取付けたことによって、背面交差部分によるヒップ引き上げ効果を自由に調節することができるため、個人の好みによって、或いは矯正の段階に合わせて適切なヒップ引き上げ力を得ることができる。
【０１０９】
このようにして、参考例１にかかる骨盤矯正ガードル１９１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０１１０】
そして、ガードル本体１６２は、前中心１９１ａ及び後中心１９１ｂの二箇所で縫い付けられることによって構成されている。これによって、参考例１にかかる骨盤矯正ガードル１９１の部品となる生地のカット及び縫製が容易になり、大量生産に向いた製品となるという作用効果が得られる。
【０１１１】
実施の形態５
次に、本発明の実施の形態５について、図１０乃至図１３を参照して説明する。
【０１１２】
図１０は本発明の実施の形態５にかかる骨盤矯正ガードルの全体構成を示す正面図である。図１１は本発明の実施の形態５の第１の変形例にかかる骨盤矯正ガードルの全体構成を示す正面図である。図１２は本発明の実施の形態５の第２の変形例にかかる骨盤矯正ガードルの全体構成を示す正面図である。図１３は本発明の実施の形態５の第３の変形例にかかる骨盤矯正ガードルの全体構成を示す正面図である。
【０１１３】
本実施の形態５にかかる骨盤矯正ガードル２００の全体構成は、上記実施の形態３の変形例にかかる骨盤矯正ガードル１８６と同様である。したがって、骨盤矯正ガードル２００の背面の構成については、図７（ｃ）を参照されたい。
【０１１４】
本実施の形態５にかかる骨盤矯正ガードル２００が上記実施の形態３の変形例にかかる骨盤矯正ガードル１８６と異なるのは、図１０に示されるように、１対の背面交差部分１８８Ａ，１８８Ｂの先端は骨盤矯正ガードル１８６と同様であるが、１対の背面交差部分１８８Ａ，１８８Ｂの後端（パワーネット生地部材）２０１Ａ，２０１Ｂがガードル本体１６２の前中心２００ａにまで達している点である。その他の部分は、上記実施の形態３の変形例にかかる骨盤矯正ガードル１８６と同様であるため、同様以上の作用効果が得られる。
【０１１５】
即ち、骨盤矯正ガードル２００を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２００を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０１１６】
そして、ガードル本体１６２は、前中心２００ａ及び後中心２００ｂの二箇所で縫い付けられることによって構成されている。これによって、本実施の形態５にかかる骨盤矯正ガードル２００の部品となる生地のカット及び縫製が容易になり、大量生産に向いた製品となるという作用効果が得られる。
【０１１７】
次に、本実施の形態５の第１の変形例にかかる骨盤矯正ガードル２０５について、図１１を参照して説明する。この骨盤矯正ガードル２０５は、全体的な構成については上記骨盤矯正ガードル２００と同様であるが、図１１に示されるように、１対の背面交差部分２０６Ａ，２０６Ｂの先端部分が異なる。
【０１１８】
即ち、１対の背面交差部分２０６Ａ，２０６Ｂの先端部分（サテンネット生地）がガードル本体１６２の前面の前中心２０５ａまで伸びて縫付けられており、１対の背面交差部分２０６Ａ，２０６Ｂの後端（パワーネット生地部材）２０１Ａ，２０１Ｂもガードル本体１６２の前中心２０５ａにまで達している。その他の部分は、上記骨盤矯正ガードル２００と同様であり、サテンネット生地もパワーネット生地も伸縮性を有するとともに弾力性に富むため、同様以上の作用効果が得られる。
【０１１９】
即ち、骨盤矯正ガードル２０５を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２０５を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０１２０】
そして、ガードル本体１６２は、前中心２０５ａ及び後中心２０５ｂの二箇所で縫い付けられることによって構成されている。これによって、本実施の形態５の第１変形例にかかる骨盤矯正ガードル２０５の部品となる生地のカット及び縫製が容易になり、大量生産に向いた製品となるという作用効果が得られる。
【０１２１】
次に、本実施の形態５の第２の変形例にかかる骨盤矯正ガードル２０７について、図１２を参照して説明する。この骨盤矯正ガードル２０７は、全体的な構成については上記骨盤矯正ガードル２０５と同様であるが、図１２に示されるように、１対の背面交差部分２０６Ａ，２０６Ｂの先端部分の取付け方が異なる。
【０１２２】
即ち、上記骨盤矯正ガードル２０５においては１対の背面交差部分２０６Ａ，２０６Ｂの先端部分は開口部１６４の縁に取付けられたパイピング１６７の下へ潜り込んで、ガードル本体１６２の裏側において縫付けられているが、図１２に示されるように、本実施の形態５の第２の変形例にかかる骨盤矯正ガードル２０７においては、１対の背面交差部分２０６Ａ，２０６Ｂの先端部分はパイピング１６７の下へ潜り込まずに、ガードル本体１６２の表側において縫付けられている。
【０１２３】
これによって、骨盤矯正ガードル２０７の表側の見栄えは少し悪くなるが、縫製が容易になって短時間で製造できるという作用効果が得られる。その他の部分は、上記骨盤矯正ガードル２０５と同様であり、サテンネット生地もパワーネット生地も伸縮性を有するとともに弾力性に富むため、同様の作用効果が得られる。
【０１２４】
即ち、骨盤矯正ガードル２０７を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２０７を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０１２５】
そして、ガードル本体１６２は、前中心２０７ａ及び後中心２０７ｂの二箇所で縫い付けられることによって構成されている。これによって、本実施の形態５の第２変形例にかかる骨盤矯正ガードル２０７の部品となる生地のカット及び縫製が容易になり、大量生産に向いた製品となるという作用効果が得られる。
【０１２６】
次に、本実施の形態５の第３の変形例にかかる骨盤矯正ガードル２０９について、図１３を参照して説明する。この骨盤矯正ガードル２０９は、全体的な構成については上記骨盤矯正ガードル２０５と同様であるが、図１３に示されるように、１対の背面交差部分２０６Ａ，２０６Ｂの後端１８７Ａ，１８７Ｂの長さが異なる。即ち、１対の背面交差部分２０６Ａ，２０６Ｂの後端１８７Ａ，１８７Ｂがガードル本体１６２の前中心２０９ａまで届いていない。その他の部分は、上記骨盤矯正ガードル２０５と同様であり、サテンネット生地もパワーネット生地も伸縮性を有するとともに弾力性に富むため、同様の作用効果が得られる。
【０１２７】
即ち、骨盤矯正ガードル２０９を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２０９を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０１２８】
そして、ガードル本体１６２は、前中心２０９ａ及び後中心２０９ｂの二箇所で縫い付けられることによって構成されている。これによって、本実施の形態５の第３変形例にかかる骨盤矯正ガードル２０９の部品となる生地のカット及び縫製が容易になり、大量生産に向いた製品となるという作用効果が得られる。
【０１２９】
このように、本実施の形態５にかかる骨盤矯正ガードル２００，２０５，２０７，２０９においては、ズボンやスカート等の下に着用して歩くだけで特に意識しなくても自然と、より効果的にかつ確実に“ビーナスウォーク”をすることができ、骨盤を正常な位置に戻して美しいプロポーションを作ることができるとともに、ヒップアップの効果も得ることができる。
【０１３０】
実施の形態６
次に、本発明の実施の形態６について、図１４乃至図１６を参照して説明する。
【０１３１】
図１４は本発明の実施の形態６にかかる骨盤矯正ガードルの全体構成を示す背面図である。図１５は本発明の実施の形態６の第１の変形例にかかる骨盤矯正ガードルの全体構成を示す背面図である。図１６は本発明の実施の形態６の第２の変形例にかかる骨盤矯正ガードルの全体構成を示す背面図である。
【０１３２】
本実施の形態６にかかる骨盤矯正ガードル２１０の全体構成は、実施の形態３の変形例にかかる骨盤矯正ガードル１８６と同様であるので、骨盤矯正ガードル２１０の前面については、図７（ａ）を参照されたい。本実施の形態６にかかる骨盤矯正ガードル２１０が骨盤矯正ガードル１８６と異なる点は、図１４に示されるように、１対の背面交差部分２１１Ａ，２１１Ｂにステッチが施されていない点のみである。
【０１３３】
前述したように、１対の背面交差部分に施されたステッチは、装飾的効果及び１対の背面交差部分をより強化するためのものであり、１対の背面交差部分を構成する表側のサテンネット生地と裏側のパワーネット生地とは中縫いで縫付けられているため、１対の背面交差部分に施されたステッチは必ずしもなくても良いものである。このように、１対の背面交差部分２１１Ａ，２１１Ｂにステッチが施されていないことによって、製造工程を一工程省略することができ、より短時間で製造できるという作用効果が得られる。その他の部分は、上記骨盤矯正ガードル１８６と同様であり、サテンネット生地もパワーネット生地も伸縮性を有するとともに弾力性に富むため、同様の作用効果が得られる。
【０１３４】
即ち、骨盤矯正ガードル２１０を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２１０を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０１３５】
次に、本実施の形態６の第１の変形例にかかる骨盤矯正ガードル２１３について、図１５を参照して説明する。この骨盤矯正ガードル２１３は、全体的な構成については上記骨盤矯正ガードル２１０と同様であるが、図１５に示されるように、１対の背面交差部分２１４Ａ，２１４Ｂの構成が異なる。
【０１３６】
即ち、１対の背面交差部分２１４Ａ，２１４Ｂの両縁に沿ってパイピング２１５Ａ，２１５Ｂが施されている。これによって、装飾的な効果が得られ、製品としての見栄えが向上して消費者の購買意欲をそそるという作用効果が得られる。その他の部分は、上記骨盤矯正ガードル２１０と同様であり、サテンネット生地もパワーネット生地も伸縮性を有するとともに弾力性に富むため、同様の作用効果が得られる。
【０１３７】
即ち、骨盤矯正ガードル２１３を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２１３を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０１３８】
次に、本実施の形態６の第２の変形例にかかる骨盤矯正ガードル２１６について、図１６を参照して説明する。この骨盤矯正ガードル２１６は、全体的な構成については上記骨盤矯正ガードル２１０と同様であるが、図１６に示されるように、１対の背面交差部分２１７Ａ，２１７Ｂ及びガードル本体１６２の両裾部分の構成が異なる。
【０１３９】
即ち、１対の背面交差部分２１７Ａ，２１７Ｂの両縁に沿って伸縮性のあるレース２１８Ａ，２１８Ｂが縫付けられており、ガードル本体１６２の両裾部分の全周に沿って、同様に伸縮性のあるレース２１８Ｃ，２１８Ｄが縫付けられて施されている。これによって、装飾的な効果が得られ、製品としての見栄えが向上して消費者の購買意欲をそそるだけでなく、ズボンやスラックスやタイトスカート等の下に着用したときに、１対の背面交差部分２１７Ａ，２１７Ｂの両縁及びガードル本体１６２の両裾部分のラインが外から浮き出て見えるという所謂“当たり”を半減でき、見栄えが良くなるという作用効果が得られる。
【０１４０】
その他の部分は、上記骨盤矯正ガードル２１０と同様であり、サテンネット生地もパワーネット生地も伸縮性を有するとともに弾力性に富むため、同様の作用効果が得られる。
【０１４１】
即ち、骨盤矯正ガードル２１６を着用することによって、より強力に二重にヒップが引き締められるとともに骨盤が引っ張られることになり、さらに強力に骨盤が引っ張られ、ヒップがより強力に引き締められて正しい姿勢を保つことができる。したがって、骨盤矯正ガードル２１６を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。これを何日も続けることによって骨盤の歪みが矯正されるとともに、背面交差部分によってヒップ部分が引き上げられるため、ヒップアップの効果も得ることができる。
【０１４２】
このように、本実施の形態６にかかる骨盤矯正ガードル２１０，２１３，２１６においては、ズボンやスカート等の下に着用して歩くだけで特に意識しなくても自然と、より効果的にかつ確実に“ビーナスウォーク”をすることができ、骨盤を正常な位置に戻して美しいプロポーションを作ることができるとともに、ヒップアップの効果も得ることができる。また、本参考例１７の第２の変形例にかかる骨盤矯正ガードル２１６においては、ズボンやスカート等の下に着用したときに所謂“当たり”を半減することができ、見栄えが良くなるという作用効果が得られる。
【０１４３】
実施の形態７
次に、本発明の実施の形態７について、図１７及び図１８を参照して説明する。
【０１４４】
図１７（ａ）は本発明の実施の形態７にかかる骨盤矯正ガードルの全体構成を示す正面図、（ｂ）は背面斜視図、（ｃ）は背面図である。図１８（ａ）は本発明の実施の形態７の変形例にかかる骨盤矯正ガードルの全体構成を示す正面図、（ｂ）は背面斜視図、（ｃ）は背面図である。
【０１４５】
図１７（ａ），（ｂ），（ｃ）に示されるように、実施の形態７にかかる骨盤矯正ガードル２２０の全体構成は、図５に示される実施の形態２の変形例にかかる骨盤矯正ガードル１７６とほぼ同様である。即ち、ガードル本体１６２の後中心２２０ｂを中心にして、ガードル本体１６２の股下２２０ｃから約８ｃｍ上がった位置に下縁を有する略長円形状の高さ約８ｃｍの開口部１６４が設けられており、図１７（ａ）に示されるように、開口部１６４の両端はガードル本体１６２の前面部分の両脇まで達している。
【０１４６】
図１７（ｃ）に示されるように、この開口部１６４の下縁の左側から右側上方へ１対の背面交差部分の一方２２１Ａが伸びており、開口部１６４の下縁の右側から左側上方へ１対の背面交差部分の他方２２１Ｂが伸びていて、それぞれの先端は開口部１６４の下へ潜り込んで、図１７（ａ）に示されるように、ガードル本体１６２の前面部分にロック縫い２２１ｃ，２２１ｄで留められている。そして、開口部１６４は裏側から伸縮性及び弾力性を有する生地であるパワーネット１７０が縫い付けられることによって塞がれている。
【０１４７】
ここで、１対の背面交差部分２２１Ａ，２２１Ｂは、表側がサテンネット生地で裏側がパワーネット生地という二重構造になっており、表側のサテンネット生地の部分はガードル本体１６２と一体となっている。即ち、実施の形態７にかかる骨盤矯正ガードル２２０のガードル本体１６２は、単に伸縮性を有する生地ではなく、伸縮性及び弾力性を有する生地であるサテンネットからなるものである。したがって、骨盤矯正ガードル２２０によるヒップの締め付け効果及び骨盤の矯正効果がより向上するという作用効果が得られる。
【０１４８】
一方、裏側のパワーネット生地の部分は、表側のサテンネット生地の部分に中縫いで縁だけが縫付けられて一体となっており、さらに一体となった１対の背面交差部分２２１Ａ，２２１Ｂの縁にはコバステッチ２２１ａ，２２１ｂが施されているが、これは装飾効果を高めるため及びより１対の背面交差部分２２１Ａ，２２１Ｂを強化するためのものであって、コバステッチ２２１ａ，２２１ｂによってのみ表側のサテンネット生地の部分と裏側のパワーネット生地の部分が縫付けられている訳ではない。
【０１４９】
また、図１７（ｃ）に示されるように、１対の背面交差部分２２１Ａ，２２１Ｂの交差位置において、１対の背面交差部分の一方２２１Ａの裏側に紐部材２５０の両端が縫付けられており、１対の背面交差部分の他方２２１Ｂが紐部材２５０の中を潜る構造となっている。これによって、１対の背面交差部分２２１Ａ，２２１Ｂが互いの伸縮を妨げることなく、互いに離れてしまうことを防止することができ、１対の背面交差部分２２１Ａ，２２１Ｂによるヒップの引き締め効果を確実に得ることができる。
【０１５０】
さらに、開口部１６４の縁に沿ってパイピング１６７が取付けられてパイピング処理が施されており、これによって装飾的効果が増し、製品としての見栄えが向上して消費者の購買意欲を増大させるという作用効果が得られる。
【０１５１】
ここまでの構造は、上記実施の形態２の変形例にかかる骨盤矯正ガードル１７６と同様である。実施の形態７にかかる骨盤矯正ガードル２２０が上記実施の形態２の変形例の骨盤矯正ガードル１７６と異なるのは、図１７（ｂ），（ｃ）に示されるように、１対の背面交差部分２２１Ａ，２２１Ｂの裏側のパワーネット生地の部分（１対の背面交差部分の後端）が、ガードル本体１６２の両脇部分まで伸びて縫付けられている点は同じであるが、１対の背面交差部分２２１Ａ，２２１Ｂの裏側のパワーネット生地の部分の形状が異なる点である。
【０１５２】
即ち、１対の背面交差部分２２１Ａ，２２１Ｂの後端が交差位置における幅よりも太くなるとともに後端の形状がＲ形状となっていて、このＲ形状の縁に沿ってステッチ２２１ａ，２２１ｂによって裏側から一度に縫付けられているものである。これによって、縫製をスムーズに行うことができ、大量生産向きの製品となる。その他の部分については、上記実施の形態２の変形例の骨盤矯正ガードル１７６と同様であるため、同様の作用効果が得られる。
【０１５３】
即ち、骨盤矯正ガードル２２０を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２２０を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０１５４】
次に、実施の形態７の変形例にかかる骨盤矯正ガードル２２３について、図１８を参照して説明する。この骨盤矯正ガードル２２３は、全体的な構成については上記骨盤矯正ガードル２２０と同様であるが、図１８（ａ），（ｂ）に示されるように、１対の背面交差部分２２４Ａ，２２４Ｂの後端部分の長さが異なる。
【０１５５】
即ち、１対の背面交差部分２２４Ａ，２２４Ｂの後端部分がガードル本体１６２の前面左右部分にまで達しており、後端の形状がＲ形状となっていて、このＲ形状の縁に沿ってステッチ２２４ａ，２２４ｂによって裏側から一度に縫付けられている。これによって、縫製をスムーズに行うことができ、大量生産向きの製品となる。その他の部分については、上記骨盤矯正ガードル２２０と同様であるため、同様の作用効果が得られる。
【０１５６】
即ち、骨盤矯正ガードル２２３を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２２３を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０１５７】
このように、実施の形態７にかかる骨盤矯正ガードル２２０，２２３においては、ズボンやスカート等の下に着用して歩くだけで特に意識しなくても自然と、より効果的にかつ確実に“ビーナスウォーク”をすることができ、骨盤を正常な位置に戻して美しいプロポーションを作ることができるとともに、ヒップアップの効果も得ることができる。
【０１５８】
実施の形態８
次に、本発明の実施の形態８について、図１９を参照して説明する。
図１９は本発明の実施の形態８にかかる骨盤矯正ガードルの全体構成を示す正面図である。
実施の形態８にかかる骨盤矯正ガードル２３０の全体構成は、図８に示される実施の形態４にかかる骨盤矯正ガードル１９０とほぼ同様である。異なるのは、図１９に示されるように１対の背面交差部分２３１Ａ，２３１Ｂの裏側のパワーネット生地の部分（１対の背面交差部分２３１Ａ，２３１Ｂの後端）の形状が異なる点である。
【０１５９】
即ち、１対の背面交差部分２３１Ａ，２３１Ｂの後端が交差位置における幅よりも太くなるとともに後端の形状がＲ形状となっていて、このＲ形状の縁に沿ってステッチ２３１ａ，２３１ｂによって裏側から一度に縫付けられているものである。これによって、縫製をスムーズに行うことができ、大量生産向きの製品となる。その他の部分については、上記実施の形態４の骨盤矯正ガードル１９０と同様であるため、同様の作用効果が得られる。
【０１６０】
即ち、骨盤矯正ガードル２３０を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２３０を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０１６１】
そして、ガードル本体１６２は、前中心２３０ａ及び後中心２３０ｂの二箇所で縫い付けられることによって構成されている。これによって、参考例３にかかる骨盤矯正ガードル２３０の部品となる生地のカット及び縫製が容易になり、大量生産に向いた製品となるという作用効果が得られる。
【０１６２】
参考例２
次に、本発明の参考例２について、図２０を参照して説明する。
図２０は本発明の参考例２にかかる骨盤矯正ガードルの全体構成を示す正面図である。
次に、参考例２にかかる骨盤矯正ガードル２３３について、図２０を参照して説明する。参考例２にかかる骨盤矯正ガードル２３３の全体構成は、図９に示される参考例１にかかる骨盤矯正ガードル１９１とほぼ同様である。異なるのは、図２０に示されるように１対の背面交差部分２３４Ａ，２３４Ｂの裏側のパワーネット生地の部分（１対の背面交差部分２３４Ａ，２３４Ｂの後端）の形状が異なる点である。
【０１６３】
即ち、１対の背面交差部分２３４Ａ，２３４Ｂの後端が交差位置における幅よりも太くなるとともに後端の形状がＲ形状となっていて、このＲ形状の縁に沿ってステッチ２３４ａ，２３４ｂによって裏側から一度に縫付けられているものである。これによって、縫製をスムーズに行うことができ、大量生産向きの製品となる。その他の部分については、上記参考例１の骨盤矯正ガードル１９１と同様であるため、同様の作用効果が得られる。
【０１６４】
即ち、ガードル本体１６２の前面の前中心２３３ａの左右部分に、調節機能付き接続具の一方としての複数の接続位置に取付けられたメンカンを有するカギホック１９３Ａが縫付けられており、一方１対の背面交差部分２３４Ａ，２３４Ｂの先端にはカギホック１９３Ａの複数の接続位置のメンカンのいずれにも取付けられる調節機能付き接続具の他方としてのカギホック１９３Ｂが縫付けられている。これらのカギホック１９３Ａ，１９３Ｂによって、調節機能付き接続具１９３が構成されている。
【０１６５】
したがって、１対の背面交差部分２３４Ａ，２３４Ｂの先端のカギホック１９３Ｂをカギホック１９３Ａの複数の接続位置のメンカンの何処に取付けるかによって１対の背面交差部分２３４Ａ，２３４Ｂによる引っ張り力を調節することができ、１対の背面交差部分２３４Ａ，２３４Ｂによるヒップアップの効果も自由に調節することができる。なお、図２０においては、カギホック１９３Ａの複数の接続位置が３ヵ所の場合を示しているが、２ヶ所でも良いし４ヵ所以上でも構わない。
【０１６６】
そして、骨盤矯正ガードル２３３を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２３３を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができる。
【０１６７】
これを何日も続けることによって骨盤の歪みが矯正されるとともに、背面交差部分によってヒップ部分が引き上げられるため、ヒップアップの効果も得ることができる。さらに調節機能付き接続具１９３を取付けたことによって、背面交差部分によるヒップ引き上げ効果を自由に調節することができるため、個人の好みによって、或いは矯正の段階に合わせて適切なヒップ引き上げ力を得ることができる。
【０１６８】
このようにして、参考例２にかかる骨盤矯正ガードル２３３においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０１６９】
そして、ガードル本体１６２は、前中心２３３ａ及び後中心２３３ｂの二箇所で縫い付けられることによって構成されている。これによって、参考例２にかかる骨盤矯正ガードル２３３の部品となる生地のカット及び縫製が容易になり、大量生産に向いた製品となるという作用効果が得られる。
【０１７０】
実施の形態９
次に、本発明の実施の形態９について、図２１を参照して説明する。
図２１は本発明の実施の形態９にかかる骨盤矯正ガードルの全体構成を示す正面図である。
次に、実施の形態９にかかる骨盤矯正ガードル２３６について、図２１を参照して説明する。実施の形態９にかかる骨盤矯正ガードル２３６の全体構成は、図１３に示される実施の形態５の第３の変形例にかかる骨盤矯正ガードル２０９とほぼ同様である。異なるのは、図２１に示されるように１対の背面交差部分２３７Ａ，２３７Ｂの裏側のパワーネット生地の部分（１対の背面交差部分２３７Ａ，２３７Ｂの後端）の形状が異なる点である。
【０１７１】
即ち、１対の背面交差部分２３７Ａ，２３７Ｂの後端が交差位置における幅よりも太くなるとともに後端の形状がＲ形状となっていて、このＲ形状の縁に沿ってステッチ２３７ａ，２３７ｂによって裏側から一度に縫付けられているものである。これによって、縫製をスムーズに行うことができ、大量生産向きの製品となる。その他の部分については、上記実施の形態５の第３の変形例の骨盤矯正ガードル２０９と同様であるため、同様の作用効果が得られる。
【０１７２】
即ち、骨盤矯正ガードル２３６を着用することによって、二重にヒップが引き締められるとともに骨盤が引っ張られることになり、より強力に骨盤が引っ張られ、ヒップが引き締められて正しい姿勢を保つことができる。したがって、骨盤矯正ガードル２３６を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０１７３】
そして、ガードル本体１６２は、前中心２３６ａ及び後中心２３６ｂの二箇所で縫い付けられることによって構成されている。これによって、実施の形態９にかかる骨盤矯正ガードル２３６の部品となる生地のカット及び縫製が容易になり、大量生産に向いた製品となるという作用効果が得られる。
【０１７４】
このようにして、実施の形態８及び実施の形態９の骨盤矯正ガードル２３０，２３６、参考例２の骨盤矯正ガードル２３３においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０１７５】
実施の形態１０
次に、本発明の骨盤矯正ガードルの製造方法にかかる実施の形態１０について、図２２及び図２３を参照して説明する。
【０１７６】
図２２は本発明の骨盤矯正ガードルの製造方法の実施の形態１０にかかる骨盤矯正ガードルの主な構成部品を示す図である。図２３（ａ）は本発明の実施の形態１０にかかる骨盤矯正ガードルの製造方法の第１段階を示す図、（ｂ）は第２段階を示す図、（ｃ）は骨盤矯正ガードルの完成状態を示す正面図である。
【０１７７】
本実施の形態１０にかかる骨盤矯正ガードルの製造方法においては、代表例として、上記実施の形態３の変形例にかかる骨盤矯正ガードル１８６を製造する場合について説明する。
【０１７８】
図２２に示されるように、図７の本実施の形態３の変形例にかかる骨盤矯正ガードル１８６の製造方法においては、主な部品としてガードル本体１６２の左身頃２４０Ａと右身頃２４０Ｂ及び背面交差部分の裏側を構成する部材２４１Ａ，２４１Ｂが用いられる。左身頃２４０Ａ及び右身頃２４０Ｂには、伸縮性を有する生地としてのサテンネット生地が用いられており、部材２４１Ａ，２４１Ｂには伸縮性及び弾力性を有する生地としてのパワーネット生地が用いられている。
【０１７９】
左身頃２４０Ａ及び右身頃２４０Ｂには、開口部１６４を形成するための抉り部分２４５Ａ，２４５Ｂが設けられており、また背面交差部分１８８Ａ，１８８Ｂの表側を構成する突出部分２４２Ａ，２４２Ｂも一体に設けられている。本実施の形態１０にかかる骨盤矯正ガードル１８６の製造は、まず左身頃２４０Ａの後中心縫い代２４３Ａ，２４４Ａと右身頃２４０Ｂの後中心縫い代２４３Ｂ，２４４Ｂとを縫い合わせて一体化させ、形成された開口部１６４の縁に沿ってパイピング１６７を施すことから開始される。
【０１８０】
図２３（ａ）には、第１段階として左身頃２４０Ａと右身頃２４０Ｂを縫い合わせて、形成された開口部１６４の縁に沿ってパイピング１６７を施し、さらに突出部分２４２Ａ，２４２Ｂと部材２４１Ａ，２４１Ｂとをそれぞれ中縫いで縫い合わせて、部材２４１Ａ，２４１Ｂの後端部分（背面交差部分１８８Ａ，１８８Ｂの後端）はそれぞれ相手側の右身頃２４０Ｂと左身頃２４０Ａの裏側に縫い付け、背面交差部分の一方１８８Ａには紐部材２５０の両端を縫い付けて背面交差部分の他方１８８Ｂを紐部材２５０の中を潜らせ、背面交差部分１８８Ａ，１８８Ｂの先端をそれぞれロック縫い１８８ｃ，１８８ｄで縫い付けたところまでを、裏面から見た状態が示されている。
【０１８１】
続いて、第２段階として、図２３（ｂ）に示されるように、開口部１６４が裏側から伸縮性及び弾力性を有する生地であるパワーネット１７０が縫い付けられることによって塞がれるが、パワーネット１７０はパイピング１６７が施された開口部１６４のみならず、背面交差部分１８８Ａ，１８８Ｂの先端のロック縫い１８８ｃ，１８８ｄの部分までを覆う大きさを有している。パワーネット１７０は、背面交差部分１８８Ａ，１８８Ｂの引き締め作用を妨げることのない位置において、ステッチ１７０ａ，１７０ｂ，１７０ｃ，１７０ｄによって縫付けられている。
【０１８２】
これによって、完成した骨盤矯正ガードル１８６を着用したときに、裏側の大部分がパワーネット１７０によって覆われているので、穿き心地が非常に良いという作用効果が得られる。なお、開口部１６４を裏側から塞ぐ生地としてはパワーネット１７０に限られるものではなく、伸縮性を有する生地であればサテンネット生地、スパンレックス生地を始めとしてどのような生地でも用いることができる。また、開口部１６４を塞ぐことなく開放空間としておいても、骨盤矯正ガードルとしては同様の作用効果を得ることができる。
【０１８３】
そして、第３段階として、図２３（ｃ）に示されるように、左身頃２４０Ａと右身頃２４０Ｂの前中心縫い代２４６Ａ，２４６Ｂを縫い合わせるとともに、股下部分２４７Ａと股下部分２４８Ａとの間、及び股下部分２４７Ｂと股下部分２４８Ｂとの間にそれぞれ股下マチ布２４９Ａ，２４９Ｂを挟んで縫い付けることによって、骨盤矯正ガードル１８６の形態が出来上がる。最後に、腰回り及び両裾回りの始末をして骨盤矯正ガードル１８６が完成する。
【０１８４】
以上説明したように、本実施の形態１０にかかる骨盤矯正ガードル１８６の製造方法においては、ガードル本体１６２の身頃を左身頃２４０Ａと右身頃２４０Ｂに二分して、前中心１８６ａ及び後中心１８６ｂの二箇所において縫い付けるようにしているため、図２２に示されるように、部品となる生地２４０Ａ，２４０Ｂのカットが容易になり、また図２３（ａ），（ｂ），（ｃ）に示されるように縫製も容易になり、大量生産に向いた製造方法となるという作用効果が得られる。
【０１８５】
本実施の形態１０においては、骨盤矯正ガードル１８６の製造方法について説明したが、上記他の実施の形態１〜実施の形態９またはその変形例にかかる骨盤矯正ガードルについても、概略同様な製造方法によることができる。また、本実施の形態１０においては、背面交差部分１８８Ａ，１８８Ｂの表側を左身頃２４０Ａ，右身頃２４０Ｂと一体とした場合について説明したが、背面交差部分をガードル本体から分離したものとして、ガードル本体の裏側または表側に縫い付ける構成とすることもできる。
【０１８６】
実施の形態１１
次に、本発明の実施の形態１１について、図２４及び図２５を参照して説明する。図２４（ａ）は本発明の実施の形態１１にかかる骨盤矯正ガードルの全体構成を示す正面図、（ｂ）は背面斜視図、（ｃ）は背面図である。図２５（ａ）は本発明の実施の形態１１の変形例にかかる骨盤矯正ガードルの全体構成を示す正面図、（ｂ）は背面斜視図、（ｃ）は背面図である。
【０１８７】
図２４（ｂ），（ｃ）に示されるように、本実施の形態１１にかかる骨盤矯正ガードル２５１は、背面の開口部２５３の中央部分が大きく上方へ突出して、後中心２５１ｂの縫い代は僅か１ｃｍのみとなっている。このように極端に開口部２５３を大きくしても、本発明にかかる骨盤矯正ガードルによるヒップの締め付け効果は同様に得られる。
【０１８８】
図２４（ｃ）に示されるように、この開口部２５３の下縁の左側から右側上方へ１対の背面交差部分の一方１６８Ａが伸びており、開口部２５３の下縁の右側から左側上方へ１対の背面交差部分の他方１６８Ｂが伸びていて、それぞれの先端は開口部２５３の下へ潜り込んで、図２４（ａ）に示されるように、ガードル本体２５４の前面部分にロック縫い１６８ｃ，１６８ｄで留められている。そして、開口部２５３は裏側から伸縮性及び弾力性を有する生地であるパワーネット２５５が縫い付けられることによって塞がれている。
【０１８９】
これによって、骨盤矯正ガードル２５１の着用時に１対の背面交差部分１６８Ａ，１６８Ｂの開口部２５３の下へ潜り込んだ部分が直接当たることが防止され、穿き心地が向上するとともに、ヒップの弛んだ部分が開口部２５３から突出することが防止され、また骨盤矯正ガードル２５１が型崩れし難くなるという作用効果が得られる。
【０１９０】
ここで、１対の背面交差部分１６８Ａ，１６８Ｂは、表側がサテンネット生地で裏側がパワーネット生地という二重構造になっており、表側のサテンネット生地の部分はガードル本体２５４と一体となっている。即ち、本実施の形態１１にかかる骨盤矯正ガードル２５１のガードル本体２５４は、単に伸縮性を有する生地ではなく、伸縮性及び弾力性を有する生地であるサテンネットからなるものである。したがって、骨盤矯正ガードル２５１によるヒップの締め付け効果及び骨盤の矯正効果がより向上するという作用効果が得られる。
【０１９１】
一方、裏側のパワーネット生地の部分は、表側のサテンネット生地の部分に中縫いで縁だけが縫付けられて一体となっており、さらに一体となった１対の背面交差部分１６８Ａ，１６８Ｂの縁にはコバステッチ１６８ａ，１６８ｂが施されているが、これは装飾効果を高めるため及びより１対の背面交差部分１６８Ａ，１６８Ｂを強化するためのものであって、コバステッチ１６８ａ，１６８ｂによってのみ表側のサテンネット生地の部分と裏側のパワーネット生地の部分が縫付けられている訳ではない。
【０１９２】
また、図２４（ｃ）に示されるように、１対の背面交差部分１６８Ａ，１６８Ｂの交差位置において、１対の背面交差部分の一方１６８Ａの裏側に紐部材２５０の両端が縫付けられており、１対の背面交差部分の他方１６８Ｂが紐部材２５０の中を潜る構造となっている。これによって、１対の背面交差部分１６８Ａ，１６８Ｂが互いの伸縮を妨げることなく、互いに離れてしまうことを防止することができ、１対の背面交差部分１６８Ａ，１６８Ｂによるヒップの引き締め効果を確実に得ることができる。
【０１９３】
かかる構造を有する骨盤矯正ガードル２５１を着用することによって、ヒップが引き締められるとともに骨盤が引っ張られることになり、骨盤が引っ張られてヒップが引き締められて正しい姿勢を保つことができる。したがって、骨盤矯正ガードル２５１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０１９４】
このようにして、本実施の形態１１の骨盤矯正ガードル２５１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０１９５】
そして、ガードル本体２５４は、前中心２５１ａ及び後中心２５１ｂの二箇所で縫い付けられることによって構成されている。これによって、本実施の形態８にかかる骨盤矯正ガードル２５１の部品となる生地のカット及び縫製が容易になり、大量生産に向いた製品となるという作用効果が得られる。
【０１９６】
次に、本実施の形態１１の変形例にかかる骨盤矯正ガードル２６１について、図２５を参照して説明する。この骨盤矯正ガードル２６１においては、上記骨盤矯正ガードル２５１の開口部２５３よりもさらに開口部が大きくなって、図２５（ａ），（ｂ），（ｃ）に示されるように、開口部２６３がウエスト上端部分まで突き抜けてしまっている。このように、開口部２６３がガードル本体２６４の内部に収まる閉じた穴でなく、上部まで突き抜けた構造であっても、本発明にかかる骨盤矯正ガードルによるヒップの締め付け効果は同様に得ることができる。
【０１９７】
図２５（ｃ）に示されるように、この開口部２６３の下縁の左側から右側上方へ１対の背面交差部分の一方１６８Ａが伸びており、開口部２６３の下縁の右側から左側上方へ１対の背面交差部分の他方１６８Ｂが伸びていて、それぞれの先端は開口部２６３の下へ潜り込んで、図２５（ａ）に示されるように、ガードル本体２６４の前面部分にロック縫い１６８ｃ，１６８ｄで留められている。そして、開口部２６３は裏側から伸縮性及び弾力性を有する生地であるパワーネット２６５が縫い付けられることによって塞がれている。
【０１９８】
これによって、骨盤矯正ガードル２６１の着用時に１対の背面交差部分１６８Ａ，１６８Ｂの開口部２６３の下へ潜り込んだ部分が直接当たることが防止され、穿き心地が向上するとともに、ヒップの弛んだ部分が開口部２６３から突出することが防止され、また骨盤矯正ガードル２６１が型崩れし難くなるという作用効果が得られる。
【０１９９】
ここで、１対の背面交差部分１６８Ａ，１６８Ｂは、表側がサテンネット生地で裏側がパワーネット生地という二重構造になっており、表側のサテンネット生地の部分はガードル本体２６４と一体となっている。即ち、本実施の形態１１の変形例にかかる骨盤矯正ガードル２６１のガードル本体２６４は、単に伸縮性を有する生地ではなく、伸縮性及び弾力性を有する生地であるサテンネットからなるものである。したがって、骨盤矯正ガードル２６１によるヒップの締め付け効果及び骨盤の矯正効果がより向上するという作用効果が得られる。
【０２００】
一方、裏側のパワーネット生地の部分は、表側のサテンネット生地の部分に中縫いで縁だけが縫付けられて一体となっており、さらに一体となった１対の背面交差部分１６８Ａ，１６８Ｂの縁にはコバステッチ１６８ａ，１６８ｂが施されているが、これは装飾効果を高めるため及びより１対の背面交差部分１６８Ａ，１６８Ｂを強化するためのものであって、コバステッチ１６８ａ，１６８ｂによってのみ表側のサテンネット生地の部分と裏側のパワーネット生地の部分が縫付けられている訳ではない。
【０２０１】
また、図２５（ｃ）に示されるように、１対の背面交差部分１６８Ａ，１６８Ｂの交差位置において、１対の背面交差部分の一方１６８Ａの裏側に紐部材２５０の両端が縫付けられており、１対の背面交差部分の他方１６８Ｂが紐部材２５０の中を潜る構造となっている。これによって、１対の背面交差部分１６８Ａ，１６８Ｂが互いの伸縮を妨げることなく、互いに離れてしまうことを防止することができ、１対の背面交差部分１６８Ａ，１６８Ｂによるヒップの引き締め効果を確実に得ることができる。
【０２０２】
かかる構造を有する骨盤矯正ガードル２６１を着用することによって、ヒップが引き締められるとともに骨盤が引っ張られることになり、骨盤が引っ張られてヒップが引き締められて正しい姿勢を保つことができる。したがって、骨盤矯正ガードル２６１を着用して立ったり座ったりするだけでも骨盤を矯正する効果が得られ、さらに着用して歩くだけで自然に良い姿勢で真っ直ぐに歩くことができ、自然に骨盤が内側へ回転してより効果的に“ビーナスウォーク”をすることができ、これを何日も続けることによって骨盤の歪みが矯正されるとともに、背面交差部分によってヒップ部分が引き上げられるため、ヒップアップの効果も得ることができる。
【０２０３】
このようにして、本実施の形態１１の変形例の骨盤矯正ガードル２６１においては、ズボンやスカート等の下に着用して歩くだけで特に意識しなくても自然と、より効果的にかつ確実に“ビーナスウォーク”をすることができ、骨盤を正常な位置に戻して美しいプロポーションを作るとともに、ヒップアップの効果も得ることができる。
【０２０４】
そして、ガードル本体２６４は、前中心２６１ａ及び後中心２６１ｂの二箇所で縫い付けられることによって構成されている。これによって、本実施の形態１１の変形例にかかる骨盤矯正ガードル２６１の部品となる生地のカット及び縫製が容易になり、大量生産に向いた製品となるという作用効果が得られる。
【０２０５】
上記各実施の形態及び参考例においては、開口部１６４，２５３，２６３を裏側から伸縮性及び弾力性を有する生地であるパワーネット１６５，１７０，２５５，２６５を縫い付けることによって塞いだ例について説明したが、開口部１６４，２５３，２６３を伸縮性を有する生地で塞がずに空間にしておくこともできる。通常は、骨盤矯正ガードルの下に下着を着用するため、穿き心地がそれほど損なわれることもなく、またヒップの弛んだ部分が空間から突出することもないからである。
【０２０６】
但し、実施の形態１１の変形例にかかる骨盤矯正ガードル２６１においては、開口部２６３が大きいため空間にしておくと着用がし難くなるため、伸縮性を有する生地で塞ぐことが好ましい。
【０２０７】
開口部１６４，２５３，２６３を空間のままにしておくことによって、製造工程が一工程省かれて製造が容易になるという作用効果が得られる。
【０２０８】
また、上記各実施の形態及び参考例においては、１対の背面交差部分の交差位置において、１対の背面交差部分の一方に紐部材２５０の両端を縫い付けて１対の背面交差部分の他方を紐部材２５０の中を潜らせているが、この紐部材２５０は本発明に必須のものではない。紐部材２５０を縫い付けない構造とすることによって、製造工程が一工程省かれて製造が容易になるという作用効果が得られる。
【０２０９】
さらに、上記各実施の形態及び参考例においては、ガードル本体１６２，２５４，２６４のウエスト上端を腰回りの通常のウエスト位置とした例について説明したが、ガードル本体１６２，２５４，２６４のウエスト上端を腰回りより上方にまで長く伸ばしても良い。このようなハイウエストタイプの骨盤矯正ガードルは、着用して真っ直ぐに歩くだけで自然に“ビーナスウォーク”をすることができ、骨盤の歪みを矯正できるだけでなく、腰回りが締め付けられてウエストラインが美しく見えるとともに、寒い時期でも暖かいという作用効果が得られる。
【０２１０】
また、逆にガードル本体１６２，２５４，２６４のウエスト上端を腰回りより下方に短く設定することもできる。このようなローウエストタイプの骨盤矯正ガードルは、着用して真っ直ぐに歩くだけで自然に“ビーナスウォーク”をすることができ、骨盤の歪みを矯正できるだけでなく、若い人を中心に流行しているローライズジーンズ等の腰回りが低いボトムスの下にも着用することができるとともに、交差部分によって足の付け根近傍を内側へ引っ張る効果が最も大きいという特長がある。
【０２１１】
上記各実施の形態及び参考例においては、幅の広い弾性材としてオペロンゴムを使用した場合についてのみ説明したが、他にもゴムベルト、ゴム紐、等種々の弾性材を使用することができる。同様に、幅の細い弾性材としてもオペロンゴムを使用した場合についてのみ説明したが、他にもゴムベルト、ゴム紐、等種々の弾性材を使用することができる。
【０２１２】
また、上記各実施の形態及び参考例においては、伸縮性生地としてパワーネットを使用した場合について説明したが、サテンネットを始めとして他の伸縮性生地を用いても良い。
【０２１３】
さらに、上記各実施の形態及び参考例においては、「伸縮性を有する生地」としてサテンネットを用い、「伸縮性及び弾力性を有する生地」としてパワーネットを用いた場合について説明したが、「伸縮性を有する生地」としてはサテンネット以外にもパワーネット、スパンレックスを始めとする他の生地を用いることもできるし、「伸縮性及び弾力性を有する生地」としてはパワーネット以外にもサテンネットを始めとする他の生地を用いることもできる。即ち、両方の生地としてサテンネットのみを用いても良いし、パワーネットのみを用いることもできる。
【０２１４】
骨盤矯正ガードルのその他の部分の構造、形状、数量、材質、大きさ（幅・長さ・厚さ等）、接続関係等についても、骨盤矯正ガードルの製造方法のその他の工程についても、上記各実施の形態及び参考例に限定されるものではない。
【符号の説明】
【０２１５】
１      骨盤
１０ａ      大転子
１６１，１６６，１７１，１７６，１８１，１８６，１９０，１９１，２００，２０５，２０７，２０９，２１０，２１３，２１６，２２０，２２３，２３０，２３３，２３６，２５１，２６１      骨盤矯正ガードル
１９３      調節機能付き接続具
２２１ａ，２２１ｂ，２２４ａ，２２４ｂ，２３１ａ，２３１ｂ，２３４ａ，２３４ｂ，２３７ａ，２３７ｂ      ステッチ
１６１ａ，１６６ａ，１７１ａ，１７６ａ，１８１ａ，１８６ａ，１９０ａ，１９１ａ，２００ａ，２０５ａ，２０７ａ，２０９ａ，２２０ａ，２２３ａ，２３０ａ，２３３ａ，２３６ａ，２５１ａ，２６１ａ，２７０ａ，２８０ａ  前中心
１６１ｂ，１６６ｂ，１７１ｂ，１７６ｂ，１８１ｂ，１８６ｂ，１９０ｂ，１９１ｂ，２００ｂ，２０５ｂ，２０７ｂ，２０９ｂ，２１０ｂ，２１３ｂ，２１６ｂ，２２０ｂ，２２３ｂ，２３０ｂ，２３３ｂ，２３６ｂ，２５１ｂ，２６１ｂ，２７０ｂ，２８０ｂ
後中心
１６１ｃ，１６６ｃ，１７１ｃ，１７６ｃ，１８１ｃ，１８６ｃ，１９０ｃ，１９１ｃ，２００ｃ，２０５ｃ，２０７ｃ，２０９ｃ，２１０ｃ，２１３ｃ，２１６ｃ，２２０ｃ，２２３ｃ，２３０ｃ，２３３ｃ，２３６ｃ，２５１ｃ，２６１ｃ，２７０ｃ，２８０ｃ
股下
１６２，２５４，２６４      ガードル本体
１６３Ａ，１６３Ｂ，１６８Ａ，１６８Ｂ，１７３Ａ，１７３Ｂ，１７８Ａ，１７８Ｂ，１８３Ａ，１８３Ｂ，１８８Ａ，１８８Ｂ，１９２Ａ，１９２Ｂ，２０６Ａ，２０６Ｂ，２１１Ａ，２１１Ｂ，２１４Ａ，２１４Ｂ，２１７Ａ，２１７Ｂ，２２１Ａ，２２１Ｂ，２２４Ａ，２２４Ｂ，２３１Ａ，２３１Ｂ，２３４Ａ，２３４Ｂ，２３７Ａ，２３７Ｂ，２７２Ａ，２７２Ｂ，２８２Ａ，２８２Ｂ      １対の背面交差部分
１６４，２５３，２６３，２７５，２８５      開口部
１６７，２１５Ａ，２１５Ｂ，２５２，２６２，２７３，２８３      パイピング
１７２Ａ，１７２Ｂ，１７７Ａ，１７７Ｂ，１８２Ａ，１８２Ｂ，１８７Ａ，１８７Ｂ，２０１Ａ，２０１Ｂ，      １対の背面交差部分の後端
２１８Ａ，２１８Ｂ，２１８Ｃ，２１８Ｄ      伸縮性のあるレース
２５０      紐部材
【図１】
0004484950.tif 000002
【図２】
0004484950.tif 000003
【図３】
0004484950.tif 000004
【図４】
0004484950.tif 000005
【図５】
0004484950.tif 000006
【図６】
0004484950.tif 000007
【図７】
0004484950.tif 000008
【図８】
0004484950.tif 000009
【図９】
0004484950.tif 000010
【図１０】
0004484950.tif 000011
【図１１】
0004484950.tif 000012
【図１２】
0004484950.tif 000013
【図１３】
0004484950.tif 000014
【図１４】
0004484950.tif 000015
【図１５】
0004484950.tif 000016
【図１６】
0004484950.tif 000017
【図１７】
0004484950.tif 000018
【図１８】
0004484950.tif 000019
【図１９】
0004484950.tif 000020
【図２０】
0004484950.tif 000021
【図２１】
0004484950.tif 000022
【図２２】
0004484950.tif 000023
【図２３】
0004484950.tif 000024
【図２４】
0004484950.tif 000025
【図２５】
0004484950.tif 000026